(57)【要約】  【課題】部品を交換することなく収納空間の幅を容易に調整することが可能であり、かつ、収納空間の幅の調整範囲を大きく確保しながら装置の小型化を図ることが可能な紙葉類収納装置を提供する。  【解決手段】紙幣収納用のカートリッジ１に、紙幣２の短手方向Ｓと平行な収納空間Ａの幅Ｗを調節するための調整ガイド１１と、調整ガイド１１を垂直に嵌合させる嵌合溝が複数種類の紙幣２のサイズに対応させて短手方向Ｓに複数形成されたコネクタ１２ａ、１２ｂとを設ける。コネクタ１２ａ、１２ｂのいずれかの嵌合溝に調整ガイド１１を嵌合させた後に、コネクタ１２ａ、１２ｂをカートリッジ１のカバー４の内面４ａに取り付けることにより、調整ガイド１１の短手方向Ｓにおける位置を変えて、収納空間Ａの幅Ｗの大きさを多段階に調整する。【選択図】  図１
2005255323.tif 000002
【特許請求の範囲】
【請求項１】
紙葉類を整列させかつ積層させた状態で収納可能な収納空間が設けられた紙葉類収納装置において、
収納空間の所定方向の幅を調節するための調整ガイドと、
紙葉類収納装置の内面に取り付けられ、前記調整ガイドを垂直に嵌合させる嵌合溝が複数種類の紙葉類のサイズに対応させて収納空間の前記幅方向に形成されたコネクタと、を備え、
前記調整ガイドを前記コネクタのいずれかの前記嵌合溝に嵌合させることにより、収納空間の前記幅を多段階に調整可能にしたことを特徴とする紙葉類収納装置。
【請求項２】
請求項１に記載の紙葉類収納装置において、
前記調整ガイドは、収納空間の前記幅方向と紙葉類の積層方向とに対して垂直な方向に凹凸を有する形状をしていて、
前記複数の嵌合溝は、収納空間の前記幅方向に所定の間隔で複数形成された第１の嵌合溝群と、当該第１の嵌合溝群から収納空間の前記幅方向と紙葉類の積層方向とに対して垂直な方向に所定の間隔をおいて形成され、かつ第１の嵌合溝群の各嵌合溝に対して収納空間の前記幅方向に所定の間隔だけずらして複数形成された第２の嵌合溝群とから構成されていることを特徴とする紙葉類収納装置。
【請求項３】
請求項２に記載の紙葉類収納装置において、
前記第１の嵌合溝群のいずれかの嵌合溝に前記調整ガイドを嵌合させるときと、前記第２の嵌合溝群のいずれかの嵌合溝に前記調整ガイドを嵌合させるときとで、前記コネクタを１８０°回転させることを特徴とする紙葉類収納装置。
【請求項４】
請求項１ないし請求項３のいずれかに記載の紙葉類収納装置において、
前記コネクタに、前記嵌合溝のそれぞれに対応する収納空間の前記幅の調整段階を示す段階表示を付したことを特徴とする紙葉類収納装置。
【発明の詳細な説明】
【技術分野】
【０００１】
本発明は、紙葉類を整列させかつ積層させた状態で収納する紙葉類収納装置に関するものである。
【背景技術】
【０００２】
紙葉類収納装置の一例として、自動現金取引装置等の内部に装填され、複数枚の紙幣を内部に整列させかつ積層させた状態で収納するとともに、収納した紙幣を１枚ずつ分離して繰り出す紙幣収納繰出用のカートリッジがある（例えば、特許文献１参照）。
【０００３】
図５〜図７は、従来のカートリッジの概略構造を示す側方断面図である。図５（ａ）において、紙幣２が自動現金取引装置等に設けられた搬送機構により搬送されて、カートリッジ５１の本体フレーム５３に設けられた挿入口５５に挿入されると、図示しないモータを駆動してフィードローラ５７を時計回りに回転させることで、挿入された紙幣２はフィードローラ５７とゲートローラ５８との間を通って、内部に設けられた収納空間Ａに取り込まれる。取り込まれた紙幣２は、図示する紙幣２ａのように、収納空間Ａに昇降可能に設けられた押圧板６０の上に整列しかつ積層した状態で収納される。また、押圧板６０を上昇させて、紙幣２ａをピックアップローラ５９に当接させた後に、モータを駆動してピックアップローラ５９とフィードローラ５７とを反時計回りに回転させることで、紙幣２ａはピックアップローラ５９で一枚ずつＹ方向に送られ、フィードローラ５７とゲートローラ５８との間を通って、排出口５６から外部へ繰り出される。このとき、紙幣２ａを整列させかつ積層させた状態で収納空間Ａに収納しているので、紙幣２ａをローラ５７〜５９等で詰まらせることなく外部に繰り出すことができる。
【０００４】
紙幣２を整列させかつ積層させた状態で収納空間Ａに収納するには、収納空間Ａの大きさを紙幣２のサイズに応じた大きさに調整する必要がある。図５〜図７に示すカートリッジ５１では、紙幣２の短手方向（短辺方向）Ｓと平行であり、かつ紙幣２の繰り出し方向Ｙと略平行な収納空間Ａの幅Ｗを調整するのに、板状の調整ガイド６１ａ〜６１ｃを設けている。図５に示す調整方式では、本体フレーム５３に開閉可能に取り付けられたカバー５４ａに調整ガイド６１ａを図示しないネジ等で取り付ける際に、調整ガイド６１ａとカバー５４ａとの間に厚みの異なるスペーサ６２ａ、６２ｂをかませることで、調整ガイド６１ａのＳ方向の位置を変えて、収納空間Ａの幅Ｗを調整している。例えば、図５（ａ）に示すようにスペーサ６２ａをカバー５４ａと調整ガイド６１ａとの間にかませることで、収納空間Ａの幅Ｗを紙幣２ａの短手方向Ｓの幅に対応させて８０ｍｍに調整することができる。また、図５（ｂ）に示すようにスペーサ６２ｂをカバー５４ａと調整ガイド６１ａとの間にかませることで、収納空間Ａの幅Ｗを紙幣２ｆの短手方向Ｓの幅に対応させて６６ｍｍに調整することができる。
【０００５】
図６に示す調整方式では、調整ガイド６１ｂにＳ方向に突起６１ｚを設け、カバー５４ｂにＳ方向に突起５４ｚを設けている。そして、突起６１ｚ、５４ｚ同士を所定の重ね代Ｋで重ね合わせてボルト６３で連結することで、調整ガイド６１ａのＳ方向の位置を変えて、収納空間Ａの幅Ｗを調整している。例えば、図６（ａ）に示すように突起６１ｚ、５４ｚ同士を各突起６１ｚ、５４ｚの高さ（図では、左右方向の寸法）と同一の重ね代１１．８ｍｍで重ね合わせてボルト６３で連結することで、収納空間Ａの幅Ｗを紙幣２ｄの短手方向Ｓの幅に対応させて７１．８ｍｍに調整することができる。また、図６（ｂ）に示すように突起６１ｚ、５４ｚ同士を重ね代６ｍｍで重ね合わせてボルト６３で連結することで、収納空間Ａの幅Ｗを紙幣２ｆの短手方向Ｓの幅に対応させて６６ｍｍに調整することができる。
【０００６】
図７に示す調整方式では、梁６４の一端を軸６５ａを介してカバー５４ｃに回転可能に取り付け、梁６４の他端を梁６４が軸６５ａを中心として回転できるように軸６５ｂを介して調整ガイド６１ｃに取り付けている。そして、各軸６５ａ、６５ｂに図示しないナットを螺合する等して、梁６４を所定の角度で調整ガイド６１ｃおよびカバー５４ｃに固定することで、調整ガイド６１ｃのＳ方向の位置を変えて、収納空間Ａの幅Ｗを調整している。例えば、図７（ａ）に示すように梁６４を調整ガイド６１ｃおよびカバー５４ｃと平行にして調整ガイド６１ｃおよびカバー５４ｃに固定することで、収納空間Ａの幅Ｗを紙幣２ｂの短手方向Ｓの幅に対応させて７７．６ｍｍに調整することができる。また、図７（ｂ）に示すように梁６４を角度θで調整ガイド６１ｃおよびカバー５４ｃに固定することで、収納空間Ａの幅Ｗを紙幣２ｆの短手方向Ｓの幅に対応させて６６ｍｍに調整することができる。
【０００７】
一方、特許文献１に示されている調整方式では、底板に貫通する長孔を開口するとともに、調整ガイドの下面に螺合孔を開口し、長孔を挿通させたボルトを螺合孔に螺着して、底板上の所定の位置に調整ガイドを直立させて固定することで、収納空間の幅を調整している。
【０００８】
【特許文献１】特開２００１−１０１４７９号公報
【発明の開示】
【発明が解決しようとする課題】
【０００９】
しかしながら、上述した図５の調整方式では、収納空間Ａの幅Ｗの大きさを変更する際に、スペーサを変更する幅Ｗの大きさに応じた専用のスペーサに交換する必要があるので、専用のスペーサをメーカから取り寄せなければならず、取り寄せに手間がかかる。また、次回の変更時に備えて、取り寄せた複数のスペーサを種類毎に管理しなければならず、管理が煩雑である。
【００１０】
また、上述した図６の調整方式では、突起６１ｚ、５４ｚの高さよりもやや小さい間隔Ｇ（図６（ａ））以上の隙間が常に調整ガイド６１ｂとカバー５４ｂとの間に生じるので、収納空間Ａの幅Ｗの調整範囲が小さくなり、紙幣２ｄよりもサイズの大きい紙幣２ａ（図５（ａ））を整列させかつ積層させた状態で収納することができない。また、収納空間Ａの幅Ｗの調整範囲を大きくしようとすると、カートリッジ５１をＳ方向に大きくしなければならないので、カートリッジ５１の小型化を図ることができない。一般的に自動現金取引装置等では、取り扱う紙幣の種類数に応じて、複数台のカートリッジ５１を内部にＳ方向に並べて装填するため、カートリッジ５１の大きさは制限されている、特に、カートリッジ５１のＳ方向の大きさは厳しく制限されている。このため、カートリッジ５１の小型化を図ることは、重要な課題となっている。
【００１１】
また、図７の調整方式では、梁６４の角度設定が難しいので、収納空間Ａの幅Ｗを調整するのが困難である。また、調整ガイド６１ｃの姿勢を安定させるために、梁６４と調整ガイド６１ｃおよびカバー５４ｃとの固定強度を強くする必要がある。しかし、固定強度を強くするには、軸６５ａ、６５ｂやナット等の固定用部品にある程度大型のものを用い、調整ガイド６１ｃや梁６４の厚みを大きくしなければならないので、収納空間Ａの幅Ｗの調整範囲が小さくなり、サイズの大きい紙幣２ａを整列させかつ積層させた状態で収納することができない。また、収納空間Ａの幅Ｗの調整範囲を大きくしようとすると、カートリッジ５１の小型化を図ることができない。
【００１２】
さらに、特許文献１の調整方式では、調整ガイドの姿勢を安定させるために、調整ガイドと底板との固定強度を強くする必要がある。しかし、固定強度を強くするには、ボルトにある程度大型のものを用い、調整ガイドの厚みを大きくしなければならないので、収納空間の幅の調整範囲が小さくなる。また、収納空間の幅の調整範囲を大きくしようとすると、カートリッジの小型化を図ることができない。
【００１３】
本発明は、上記問題点を解決するものであって、その課題とするところは、部品を交換することなく収納空間の幅を容易に調整することが可能であり、かつ、収納空間の幅の調整範囲を大きく確保しながら装置の小型化を図ることが可能な紙葉類収納装置を提供することにある。
【課題を解決するための手段】
【００１４】
本発明では、紙葉類を整列させかつ積層させた状態で収納可能な収納空間が設けられた紙葉類収納装置において、収納空間の所定方向の幅を調節するための調整ガイドと、紙葉類収納装置の内面に取り付けられ、調整ガイドを垂直に嵌合させる嵌合溝が複数種類の紙葉類のサイズに対応させて収納空間の幅方向に形成されたコネクタとを設け、調整ガイドをコネクタのいずれかの嵌合溝に嵌合させることにより、収納空間の幅を多段階に調整可能にした。
【００１５】
このようにすることで、収納する紙葉類のサイズに対応したコネクタの嵌合溝に調整ガイドを嵌合することにより、収納空間の幅を紙葉類のサイズに対応した大きさに容易に調整することが可能となる。よって、従来の図５の調整方式のように部品を交換する必要がなくなり、部品を取り寄せる手間がかからず、部品を種類毎に管理する煩わしさがない。また、コネクタの嵌合溝の側壁で調整ガイドを支持して調整ガイドの姿勢を安定させるので、従来の図６および図７の調整方式のように調整ガイドと紙葉類収納装置の内面との間に調整ガイドを支持するための機構を設ける必要がなく、また、従来の図７および特許文献１の調整方式のように調整ガイドの厚みを大きくする必要がなくなる。このため、収納空間の幅の調整範囲が小さくなることはなく、当該調整範囲を大きく確保しながら紙葉類収納装置の小型化を図ることが可能となる。
【００１６】
また、本発明の実施形態においては、調整ガイドは、収納空間の幅方向と紙葉類の積層方向とに対して垂直な方向に凹凸を有する形状をしていて、複数の嵌合溝は、収納空間の幅方向に所定の間隔で複数形成された第１の嵌合溝群と、当該第１の嵌合溝群から収納空間の幅方向と紙葉類の積層方向とに対して垂直な方向に所定の間隔をおいて形成され、かつ第１の嵌合溝群の各嵌合溝に対して収納空間の幅方向に所定の間隔だけずらして複数形成された第２の嵌合溝群とから構成されている。このように構成した場合は、第１の嵌合溝群のいずれかの嵌合溝に調整ガイドを嵌合させるときと、第２の嵌合溝群のいずれかの嵌合溝に調整ガイドを嵌合させるときとで、コネクタを１８０°回転させればよい。
【００１７】
コネクタに複数の嵌合溝を収納空間の幅方向に一列に並ぶように形成する場合は、サイズの差が小さい複数種類の紙葉類のそれぞれに対応するように嵌合溝を形成しようとすると、嵌合溝同士の間隔が非常に狭くなるので、各嵌合溝の側壁の厚みを調整ガイドを支持することが可能な程度に厚くすることができない。また逆に、嵌合溝の側壁の厚みを調整ガイドを支持することが可能な程度に厚くしようとすると、コネクタに形成できる嵌合溝の数が少なくなり、収納空間の幅を調整する段階数も少なくなってしまう。然るに、上記のようにすることで、第１の嵌合溝群と第２の嵌合溝群のそれぞれにおいて、各嵌合溝の側壁の厚みを調整ガイドを支持することが可能な程度に厚くすることができる。また、サイズの差が小さい複数種類の紙葉類のそれぞれに対応するように、コネクタに複数の嵌合溝を形成することができ、収納空間の幅を調整する段階数を多くすることが可能となる。
【００１８】
さらに、本発明の実施形態においては、コネクタに、嵌合溝のそれぞれに対応する収納空間の幅の調整段階を示す段階表示を付している。このようにすることで、段階表示を見ることにより、収納する紙葉類のサイズに対応した嵌合溝に調整ガイドを確実に嵌合することができ、収納空間の幅を紙葉類のサイズに対応した大きさに容易に調整することが可能となる。また、調整後に、収納空間の幅の調整段階を一目瞭然で把握することができる。
【発明の効果】
【００１９】
本発明によれば、収納する紙葉類のサイズに対応したコネクタの嵌合溝に調整ガイドを嵌合することで、部品を交換することなく収納空間の幅を紙葉類のサイズに対応した大きさに容易に調整することが可能となる。また、コネクタの嵌合溝で調整ガイドを支持するので、収納空間の幅の調整範囲を大きく確保しながら紙葉類収納装置の小型化を図ることが可能となる。
【発明を実施するための最良の形態】
【００２０】
図１および図２は、本発明に係る紙葉類収納装置の一例であるカートリッジ１の概略構造を示す図である。詳しくは、図１はカートリッジ１の側方断面図であり、図２はカートリッジ１の内部を示す斜視図である。図１（ａ）において、カートリッジ１は、自動現金取引装置等の内部に装填され、複数枚の紙幣２を整列させかつ積層させた状態で内部に設けられた収納空間Ａに収納する。３はカートリッジ１の本体フレーム、４は本体フレーム３に開閉可能に取り付けられたカバーである。具体的には、カバー４は、図２に示す本体フレーム３の支持部１ａに蝶番構造で支持されている。なお、図２では、カートリッジ１の内部構造を分かり易くするため、カバー４の図示を省略している。図１（ａ）に示す５は紙幣２が挿入される挿入口、６は紙幣２が排出される排出口である。７はフィードローラ、８はゲートローラ、９はピンチローラである。フィードローラ７とピンチローラ９は、それぞれ図示しないモータの駆動により時計回りまたは反時計回りに回転する。ゲートローラ８は、図２に示すようにフィードローラ７から離間した位置に設けられていて、図示しないワンウェイクラッチにより回転方向が規制されて、反時計回りにのみ自由に回転する。１０は収納空間Ａに昇降可能に設けられた押圧板である。
【００２１】
紙幣２が自動現金取引装置等に設けられた搬送機構により搬送されて、カートリッジ１の挿入口５に挿入されると、図示しないモータを駆動してフィードローラ７を時計回りに回転させることで、挿入された紙幣２はフィードローラ７とゲートローラ８との間を通って、収納空間Ａに取り込まれる。このとき、ゲートローラ８が反時計回りに自由に回転するので、紙幣２が収納空間Ａへスムーズに取り込まれる。取り込まれた紙幣２は、図１（ａ）に示す紙幣２ａのように、押圧板１０の上に整列しかつ積層した状態で収納される。また、押圧板１０を上昇させて、収納している紙幣２ａをピックアップローラ９に当接させた後に、モータを駆動してピックアップローラ９とフィードローラ７とを反時計回りに回転させることで、紙幣２ａはピックアップローラ９で一枚ずつＹ方向に送られ、フィードローラ７とゲートローラ８との間を通って、排出口６から外部へ繰り出される。このとき、ゲートローラ８が時計回りに回転しないので、紙幣２ａ間の摩擦によって複数枚の紙幣２ａがピックアップローラ９でＹ方向に送られても、複数枚の紙幣２ａはフィードローラ７とゲートローラ８とで一枚ずつ分離されて、外部へ繰り出される。
【００２２】
１１は板金からなる調整ガイドである。この調整ガイド１１は、収納している紙幣２ａの短手方向（短辺方向）Ｓと平行であり、かつ紙幣２ａの繰り出し方向Ｙと略平行な収納空間Ａの幅Ｗを調整するためのものである。なお、収納空間Ａの幅Ｗは、調整ガイド１１とカートリッジ１の内壁１ｂとの間隔に相当する。調整ガイド１１の厚み（短手方向Ｓの大きさ）は４．５ｍｍであり、比較的薄くなっている。また、調整ガイド１１は、紙幣２ａの積層方向（上下方向）Ｈの強度を高めるために、短手方向Ｓと積層方向Ｈとに対して垂直な方向、即ち紙幣２ａの長手方向（長辺方向）Ｌ（図２に図示）に凹凸を有する形状をしている。なお、凹凸の詳細な形状は、図４Ａおよび図４Ｂに図示している。
【００２３】
１２ａ、１２ｂは調整ガイド１１の端部を嵌合するコネクタである。上部のコネクタ１２ａは、図２に示すように２つに分割されている。また、このコネクタ１２ａは、図１（ａ）に示すようにネジ１３を貫通孔１２ｃ（図２に図示）を貫通させて、カバー４に設けられた突起４ｃの図示しないネジ穴に螺合させることにより、カバー４の内面４ａに密着するようにカバー４に着脱自在に取り付けられている。下部のコネクタ１２ｂは、脚部１２ｄ（図２に図示）をカバー４に設けられた溝４ｄに挿入することによって、カバー４の内面４ａに密着するようにカバー４に着脱自在に取り付けられている。
【００２４】
図３は、コネクタ１２ａ、１２ｂの詳細を示す拡大図である。図３（ａ）はコネクタ１２ａを図１において下方から見た図であり、図３（ｂ）はコネクタ１２ｂを図１において上方から見た図である。各コネクタ１２ａ、１２ｂには、調整ガイド１１を垂直に嵌合させる複数の嵌合溝Ｍ１〜Ｍ６が、複数種類の紙幣２の短辺サイズに対応させて形成されている。嵌合溝Ｍ１、Ｍ３、Ｍ５は、短手方向Ｓに所定の間隔で複数形成されている。嵌合溝Ｍ２、Ｍ４、Ｍ６は、嵌合溝Ｍ１、Ｍ３、Ｍ５から長手方向Ｌに所定の間隔をおいて形成され、かつ嵌合溝Ｍ１、Ｍ３、Ｍ５のそれぞれに対して短手方向Ｓに所定の間隔だけずらして形成されている。嵌合溝Ｍ１、Ｍ３、Ｍ５は、本発明における第１の嵌合溝群の一実施形態であり、嵌合溝Ｍ２、Ｍ４、Ｍ６は、本発明における第２の嵌合溝群の一実施形態である。各嵌合溝Ｍ１〜Ｍ６同士の間隔と、各嵌合溝Ｍ１〜Ｍ６の深さとは、嵌合溝Ｍ１〜Ｍ６の側壁１２ｅで調整ガイド１１を支持して、調整ガイド１１の姿勢を安定させることが可能な大きさに設定されている。後述するように、いずれかの嵌合溝Ｍ１〜Ｍ６に調整ガイド１１を嵌合した後、コネクタ１２ａ、１２ｂをカバー４に取り付けることで、調整ガイド１１の短手方向Ｓにおける位置が変わり、収納空間Ａの幅Ｗの大きさが多段階に調整される。嵌合溝Ｍ１〜Ｍ６の側壁１２ｅの上には、嵌合溝Ｍ１〜Ｍ６のそれぞれに対応する収納空間Ａの幅Ｗの調整段階を示す段階表示として「１」〜「６」の文字が示されている。
【００２５】
なお、上述したカートリッジ１では、収納空間Ａの短手方向Ｓの幅Ｗだけでなく、収納空間Ａの長手方向Ｌの幅も大きさが調整される。収納空間Ａの長手方向Ｌの幅の調整には、例えば特許文献１の調整方式が採用されている。
【００２６】
図４Ａおよび図４Ｂは、収納空間Ａの幅Ｗの調整状況を説明するための図である。上述した調整ガイド１１のコネクタ１２ａへの嵌合状態と、コネクタ１２ｂへの嵌合状態とは略同様であるので、各図では、コネクタ１２ｂへの嵌合状態を図示し、コネクタ１２ａへの嵌合状態の図示を省略している。
【００２７】
収納空間Ａの幅Ｗを段階「１」に調整する場合は、まず、本体フレーム３よりカバー４を開いて、コネクタ１２ａ、１２ｂをカバー４から取り外した後、調整ガイド１１をコネクタ１２ａ、１２ｂから引き抜く。そして、コネクタ１２ａ、１２ｂの段階「１」に対応する嵌合溝Ｍ１に調整ガイド１１を嵌合して、嵌合溝Ｍ１に近い方の側面１２ｆをカバー４の内面４ａに密着するように、コネクタ１２ａ、１２ｂをカバー４に取り付ける。この後、カバー４を閉じると、図４Ａ（ａ）に示すように収納空間Ａの幅Ｗが、サイズの大きい紙幣２ａの短辺サイズに対応して８０ｍｍに調整された状態となる。
【００２８】
また、図４Ａ（ａ）の状態から収納空間Ａの幅Ｗを段階「２」に調整する場合は、上述したようにコネクタ１２ａ、１２ｂから調整ガイド１１を引き抜いた後、コネクタ１２ａ、１２ｂを中点Ｏ（図３に図示）を中心に１８０°回転させる。そして、コネクタ１２ａ、１２ｂの段階「２」に対応する嵌合溝Ｍ２に調整ガイド１１を嵌合して、嵌合溝Ｍ２に近い方の側面１２ｇをカバー４の内面４ａに密着するように、コネクタ１２ａ、１２ｂをカバー４に取り付ける。この後、カバー４を閉じると、図４Ａ（ｂ）に示すように収納空間Ａの幅Ｗが、紙幣２ａよりサイズの小さい紙幣２ｂの短辺サイズに対応して７８ｍｍに調整された状態となる。
【００２９】
また、図４Ａ（ｂ）の状態から収納空間Ａの幅Ｗを段階「３」に調整する場合は、上述したようにコネクタ１２ａ、１２ｂから調整ガイド１１を引き抜いた後、コネクタ１２ａ、１２ｂを中点Ｏを中心に１８０°回転させる。そして、コネクタ１２ａ、１２ｂの段階「３」に対応する嵌合溝Ｍ３に調整ガイド１１を嵌合して、側面１２ｆをカバー４の内面４ａに密着するように、コネクタ１２ａ、１２ｂをカバー４に取り付ける。この後、カバー４を閉じると、図４Ａ（ｃ）に示すように収納空間Ａの幅Ｗが、紙幣２ｂよりサイズの小さい紙幣２ｃの短辺サイズに対応して７５ｍｍに調整された状態となる。
【００３０】
また、図４Ａ（ｃ）の状態から収納空間Ａの幅Ｗを段階「４」に調整する場合は、上述したようにコネクタ１２ａ、１２ｂから調整ガイド１１を引き抜いた後、コネクタ１２ａ、１２ｂを中点Ｏを中心に１８０°回転させる。そして、コネクタ１２ａ、１２ｂの段階「４」に対応する嵌合溝Ｍ４に調整ガイド１１を嵌合して、側面１２ｇをカバー４の内面４ａに密着するように、コネクタ１２ａ、１２ｂをカバー４に取り付ける。この後、カバー４を閉じると、図４Ｂ（ｄ）に示すように収納空間Ａの幅Ｗが、紙幣２ｃよりサイズの小さい紙幣２ｄの短辺サイズに対応して７２ｍｍに調整された状態となる。
【００３１】
また、図４Ｂ（ｄ）の状態から収納空間Ａの幅Ｗを段階「５」に調整する場合は、上述したようにコネクタ１２ａ、１２ｂから調整ガイド１１を引き抜いた後、コネクタ１２ａ、１２ｂを中点Ｏを中心に１８０°回転させる。そして、コネクタ１２ａ、１２ｂの段階「５」に対応する嵌合溝Ｍ５に調整ガイド１１を嵌合して、側面１２ｆをカバー４の内面４ａに密着するように、コネクタ１２ａ、１２ｂをカバー４に取り付ける。この後、カバー４を閉じると、図４Ｂ（ｅ）に示すように収納空間Ａの幅Ｗが、紙幣２ｄよりサイズの小さい紙幣２ｅの短辺サイズに対応して６９ｍｍに調整された状態となる。
【００３２】
さらに、図４Ｂ（ｅ）の状態から収納空間Ａの幅Ｗを段階「６」に調整する場合は、上述したようにコネクタ１２ａ、１２ｂから調整ガイド１１を引き抜いた後、コネクタ１２ａ、１２ｂを中点Ｏを中心に１８０°回転させる。そして、コネクタ１２ａ、１２ｂの段階「６」に対応する嵌合溝Ｍ６に調整ガイド１１を嵌合して、側面１２ｇをカバー４の内面４ａに密着するように、コネクタ１２ａ、１２ｂをカバー４に取り付ける。この後、カバー４を閉じると、図４Ｂ（ｆ）に示すように収納空間Ａの幅Ｗが、紙幣２ｅよりサイズの小さい紙幣２ｆの短辺サイズに対応して６６ｍｍに調整された状態となる。
【００３３】
図４Ａ（ａ）〜図４Ｂ（ｆ）のいずれかの状態になった後、当該状態に対応するいずれかのサイズの紙幣２ａ〜２ｆを、前述したようにフィードローラ７およびゲートローラ８によって複数枚取り込むと、その複数枚の紙幣２ａ〜２ｆが収納空間Ａに整列しかつ積層した状態で収納される。例えば、図４Ａ（ａ）の状態で対応する最大サイズの紙幣２ａを複数枚取り込むと、図１（ａ）に示すように複数枚の紙幣２ａが収納空間Ａに整列しかつ積層した状態で収納される。このとき、調整ガイド１１はカバー４の内面４ａに密着していて、調整ガイド１１の収納空間Ａ側の側面１１ａからカバー４の外面４ｂまでの距離Ｄは最小の７ｍｍになっている。また、図４Ｂ（ｆ）の状態で対応する最小サイズの紙幣２ｆを複数枚取り込むと、図１（ｂ）に示すように複数枚の紙幣２ｆが収納空間Ａに整列しかつ積層した状態で収納される。上記のように複数枚のいずれかのサイズの紙幣２ａ〜２ｆを収納した後、当該紙幣２ａ〜２ｆを、前述したようにピックアップローラ９およびフィードローラ７によって繰り出すと、紙幣２ａ〜２ｆがローラ７〜９等で詰まることなく外部に１枚ずつ排出される。
【００３４】
以上説明した調整方式によると、収納する紙幣２ａ〜２ｆのサイズに対応したコネクタ１２ａ、１２ｂの嵌合溝Ｍ１〜Ｍ６に調整ガイド１１を嵌合することにより、収納空間Ａの幅Ｗを紙幣２ａ〜２ｆのサイズに対応した大きさに容易に調整することが可能となる。よって、従来の図５の調整方式のように部品を交換する必要がなくなり、部品を取り寄せる手間がかからず、部品を種類毎に管理する煩わしさがない。また、コネクタ１２ａ、１２ｂの嵌合溝Ｍ１〜Ｍ６の側壁１２ｅで調整ガイド１１を支持して調整ガイド１１の姿勢を安定させるので、従来の図６および図７の調整方式のように調整ガイドとカバーの内面との間に調整ガイドを支持するための機構を設ける必要がなく、また、従来の図７および特許文献１の調整方式のように調整ガイドの厚みを大きくする必要がなくなる。このため、収納空間Ａの幅Ｗを最大サイズの紙幣２ａに対応した大きさに調整した場合に、調整ガイド１１の側面１１ａからカバー４の外面４ｂまでの距離Ｄを７ｍｍと小さくすることができる。よって、収納空間Ａの幅Ｗの調整範囲が小さくなることはなく、当該調整範囲を大きく確保しながらカートリッジ１の小型化を図ることが可能となる。
【００３５】
また、図３に示した実施形態以外に、コネクタ１２ａ、１２ｂに複数の嵌合溝を短手方向Ｓに一列に並ぶように形成することが考えられるが、その場合、サイズの差が小さい紙幣２ａ〜２ｆのそれぞれに対応するように嵌合溝を形成しようとすると、嵌合溝同士の間隔が非常に狭くなるので、各嵌合溝の側壁の厚みを調整ガイド１１を支持することが可能な程度に厚くすることができない。また逆に、嵌合溝の側壁の厚みを調整ガイド１１を支持することが可能な程度に厚くしようとすると、コネクタ１２ａ、１２ｂに形成できる嵌合溝の数が少なくなり、収納空間Ａの幅Ｗを調整する段階数も少なくなってしまう。然るに、図３に示したように、嵌合溝Ｍ１、Ｍ３、Ｍ５に対して嵌合溝Ｍ２、Ｍ４、Ｍ６をずらして形成し、図４Ａおよび図４Ｂに示したように、調整ガイド１１を嵌合溝Ｍ１、Ｍ３、Ｍ５に嵌合させるときと嵌合溝Ｍ２、Ｍ４、Ｍ６に嵌合させるときとで、コネクタ１２ａ、１２ｂを１８０°回転させることで、嵌合溝Ｍ１、Ｍ３、Ｍ５間の側壁１２ｅの厚みと、嵌合溝Ｍ２、Ｍ４、Ｍ６間の側壁１２ｅの厚みとを調整ガイド１１を支持することが可能な程度に厚くすることができる。また、サイズの差が小さい紙幣２ａ〜２ｆのそれぞれに対応するようにコネクタ１２ａ、１２ｂに複数の嵌合溝Ｍ１〜Ｍ６を形成することができ、収納空間Ａの幅Ｗを調整する段階数を６段階と多くすることが可能となる。
【００３６】
さらに、各嵌合溝Ｍ１〜Ｍ６の側壁１２ｅの上に、嵌合溝Ｍ１〜Ｍ６のそれぞれに対応する収納空間Ａの幅Ｗの調整段階を示す段階表示「１」〜「６」を設けたことで、段階表示「１」〜「６」を見ることにより、収納する紙幣２ａ〜２ｆのサイズに対応した嵌合溝Ｍ１〜Ｍ６に調整ガイド１１を確実に嵌合することができ、収納空間Ａの幅Ｗを紙幣２ａ〜２ｆのサイズに対応した大きさに容易に調整することが可能となる。また、調整後に、収納空間Ａの幅Ｗの調整段階を一目瞭然で把握することができる。また、嵌合溝Ｍ１、Ｍ３、Ｍ５に対応する段階表示「１」、「３」、「５」を側面１２ｆを上基準として設け、嵌合溝Ｍ２、Ｍ４、Ｍ６に対応する段階表示「２」、「４」、「６」を側面１２ｇを上基準として設けたことで、嵌合溝Ｍ１、Ｍ３、Ｍ５のいずれかに調整ガイド１１を嵌合した状態でコネクタ１２ａ、１２ｂをカバー４に取り付ける際に、段階表示「１」、「３」、「５」が正常に見え、段階表示「２」、「４」、「６」が反転状態で見える。また、嵌合溝Ｍ２、Ｍ４、Ｍ６のいずれかに調整ガイド１１を嵌合した状態でコネクタ１２ａ、１２ｂをカバー４に取り付ける際に、段階表示「２」、「４」、「６」が正常に見え、段階表示「１」、「３」、「５」が反転状態で見える。このため、コネクタ１２ａ、１２ｂをカバー４に間違った向きで取り付けることなく、常に正しい向きで取り付けることができる。
【００３７】
以上述べた実施形態においては、カバー４の内面４ａにコネクタ１２ａ、１２ｂを取り付けて、調整ガイド１１で収納空間Ａの短手方向Ｓの幅Ｗを調整した場合を例に挙げているが、例えば、長手方向Ｌに対して垂直な本体フレーム３の一方の内面、または両方の内面にコネクタ１２ａ、１２ｂを取り付けて、調整ガイド１１で収納空間Ａの長手方向Ｌの幅を調整するようにしてもよい。また、収納空間Ａの短手方向Ｓと長手方向Ｌの両方の幅を調整するようにしてもよい。
【００３８】
また、以上の実施形態では、収納空間Ａの幅Ｗの調整段階を示す段階表示として、数字「１」〜「６」をそれぞれ対応する嵌合溝Ｍ１〜Ｍ６の側壁１２ｅ上に設けた場合を例に挙げているが、本発明はこれのみに限定するものではない。これ以外に、段階表示として、例えば英字、漢字、およびカナ等の他の文字を側壁１２ｅ上や各嵌合溝Ｍ１〜Ｍ６の底部に設けたり、複数の直線で構成される目盛をコネクタ１２ａ、１２ｂに短手方向Ｓと平行に設けたりしてもよい。また、収納空間Ａの幅Ｗの調整段階は、６段に限らず、５段以下または７段以上にしてもよい。
【００３９】
さらに、以上の実施形態では、自動現金取引装置等の内部に装填され、紙幣の取り込み機能と繰り出し機能とを有するカートリッジ１に、本発明を適用した例を挙げているが、本発明はこれ以外にも、例えば紙幣の取り込み機能だけを有するカートリッジや、紙幣の繰り出し機能だけを有するカートリッジや、紙幣以外の金券や株券等のような紙葉類を収納する紙葉類収納装置に適用することが可能である。
【図面の簡単な説明】
【００４０】
【図１】紙葉類収納装置の一例であるカートリッジの側方断面図である。
【図２】同カートリッジの斜視図である。
【図３】同カートリッジのコネクタの拡大図である。
【図４Ａ】同カートリッジの収納空間の幅の調整状況を説明する図である。
【図４Ｂ】同カートリッジの収納空間の幅の調整状況を説明する図である。
【図５】従来のカートリッジの側方断面図である。
【図６】従来のカートリッジの側方断面図である。
【図７】従来のカートリッジの側方断面図である。
【符号の説明】
【００４１】
１      カートリッジ
２      紙幣
２ａ〜２ｆ  紙幣
１１    調整ガイド
１２ａ、１２ｂ  コネクタ
Ａ    収納空間
Ｈ    紙幣の積層方向
Ｌ    長手方向
Ｍ１〜Ｍ６  嵌合溝
Ｓ    短手方向
Ｗ    収納空間の幅
【図１】
2005255323.tif 000003
【図２】
2005255323.tif 000004
【図３】
2005255323.tif 000005
【図４Ａ】
2005255323.tif 000006
【図４Ｂ】
2005255323.tif 000007
【図５】
2005255323.tif 000008
【図６】
2005255323.tif 000009
【図７】
2005255323.tif 000010